(57)【要約】【課題】  洪水や津波等の水害発生時に、新生児やペット等を安全に運搬可能な運搬容器を提供する。【解決手段】  持ち運び可能、かつ、水面に浮遊可能な運搬容器であって、容器本体と、蓋部と、取手と、バランスウェイトを備え、容器本体と蓋部は防水性を有し、蓋部は容器本体に開閉自在に取り付けてあり、バランスウェイトは、長尺であり、容器本体の底部に起倒自在に取り付けてあり、通常時は容器本体の底部に沿って倒して容器本体を平面に載置可能とし、容器本体が水面に浮遊した時は垂直方向に起こして容器本体の転覆を防ぐ。【選択図】      図１
2019141393.tif 000002
【特許請求の範囲】
【請求項１】
持ち運び可能、かつ、水面に浮遊可能な運搬容器であって、
容器本体と、蓋部と、取手と、バランスウェイトを備え、
容器本体と蓋部は防水性を有し、
蓋部は容器本体に開閉自在に取り付けてあり、
バランスウェイトは、長尺であり、容器本体の底部に起倒自在に取り付けてあり、通常時は容器本体の底部に沿って倒して容器本体を平面に載置可能とし、容器本体が水面に浮遊した時は垂直方向に起こして容器本体の転覆を防ぐことを特徴とする運搬容器。
【請求項２】
前記バランスウェイトを二つ備え、二つのバランスウェイトは容器本体の長手方向に間隔をあけて配置されていることを特徴とする請求項１に記載の運搬容器。
【請求項３】
前記バランスウェイトは基部から端部に向かって広がるテーパー形状であることを特徴とする請求項１または２に記載の運搬容器。
【発明の詳細な説明】
【技術分野】
【０００１】
本発明は、災害時に水面に浮遊可能な運搬容器に関する。
【背景技術】
【０００２】
災害発生時に、新生児やペット等を抱きかかえ又は背負って避難することは大きな危険を伴う。特に洪水や津波等の水害発生時に、所謂ベビークーファン等の持ち運び可能なかごを用いて速やかに安全を確保することが必要であり、日頃より備えをしておくことが重要である。
【先行技術文献】
【特許文献】
【０００３】
【特許文献１】特開２００７‐９７７９６号公報
【発明の概要】
【発明が解決しようとする課題】
【０００４】
特許文献１には、地震等の災害時に乳幼児を保護することのできる持ち運び可能な乳幼児保護ケースが提案されている。このような保護ケースは、地震や事故等の衝撃をクッションで吸収することによって乳幼児の身体を守ることが可能であるが、洪水や津波等の水害発生時における使用は考慮されていない。
本発明は上記事情を鑑み、洪水や津波等の水害発生時に、新生児やペット等を安全に運搬可能な運搬容器を提供することを目的とする。
【課題を解決するための手段】
【０００５】
本発明は、持ち運び可能、かつ、水面に浮遊可能な運搬容器であって、容器本体と、蓋部と、取手と、バランスウェイトを備え、容器本体と蓋部は防水性を有し、蓋部は容器本体に開閉自在に取り付けてあり、バランスウェイトは、長尺であり、容器本体の底部に起倒自在に取り付けてあり、通常時は容器本体の底部に沿って倒して容器本体を平面に載置可能とし、容器本体が水面に浮遊した時は垂直方向に起こして容器本体の転覆を防ぐことを特徴とする。
【０００６】
前記バランスウェイトを二つ備え、二つのバランスウェイトは容器本体の長手方向に間隔をあけて配置されていることが望ましい。
【０００７】
さらに、前記バランスウェイトは基部から端部に向かって広がるテーパー形状であることが望ましい。
【発明の効果】
【０００８】
本発明によれば、バランスウェイトは、容器本体の底部に起倒自在に取り付けてあるため、非常時において、水面に浮遊させる際にはバランスウェイトが垂直方向になり、重心がより下方に位置するので、通常の持ち運びの際には重さが負担にならないような比較的軽いバランスウェイトであっても、容器本体を安定させることができる。そして、ワンタッチでバランスウェイトを起すことができるので、非常時においても即座に安全を確保することができる。通常時にはバランスウェイトが邪魔にならず、容器本体を平面に載置できるので、非常時に限らず日常的に使用可能である。
また、バランスウェイトは起倒自在に取り付けてあるため、水面に浮遊させておき、徐々に水が引いていった場合であっても、自然と無理のない方向へ倒れ、容器本体の水平が保たれるので、安全性に優れる。
【０００９】
前記バランスウェイトを二つ備え、二つのバランスウェイトは容器本体の長手方向に間隔をあけて配置されていることによって、水面においてより安定性が優れる。
さらに、前記バランスウェイトは基部から端部に向かって広がるテーパー形状であることで、より安定性が増し、安全性に優れる。
【図面の簡単な説明】
【００１０】
【図１】運搬容器の正面図であって、（ａ）は通常時、（ｂ）は非常時に水面へ浮遊させた状態を示す。
【図２】運搬容器の断面を示し、バランスウェイトの態様を説明する図である。
【図３】バランスウェイトを垂直状態とした運搬容器の一方側の側面図である。
【図４】バランスウェイトを垂直状態とした運搬容器の他方側の側面図である。
【図５】（ａ）（ｂ）は運搬容器の底面図である。
【図６】（ａ）（ｂ）は、運搬容器の内部に設置するクッション材の使用例を示す平面図である。
【図７】通常時の運搬容器の使用例を示す図である。
【図８】非常時の運搬容器の使用例を示す図である。
【発明を実施するための形態】
【００１１】
以下、本発明の実施の形態を図面に基づいて説明する。
本発明に係る運搬容器は、容器本体１と蓋部２と取手３，４とバランスウェイト５と車輪６を備える。
【００１２】
容器本体１と蓋部２は外側が防水性の素材からなり、内側はウレタン等の浮力とクッション性を有する素材からなる。容器本体１の上部には開口が形成されており、開口を開閉自在に蓋部２が取り付けられている。蓋部２は、アコーディオンのように容器本体１の短手方向に伸縮可能な二つのシート材からなり、容器本体１の短手方向中間部において召し合わされて開口を閉じる。この召し合わせ部２ａは、防水機能を備えたファスナーや、面ファスナー等を用いることによって閉状態を維持可能としてもよい。
【００１３】
取手３，４には、通常時に用いる二つの通常時用取手３，３と、非常時及び車輪６を用いて容器本体１を引く際の非常時用取手４がある。容器本体１の正面および背面には、図１、図３及び図４に示すように、通常時用の取手３，３が取り付けてある。通常時用の取手３，３は、使用者の肩に掛けることが可能な程の長さである。
【００１４】
図３に示すように、容器本体１の一方の側面には車輪６が取り付けてあり、図４に示すように、他方側の側面には非常時用の取手４が取り付けてある。非常時用取手４は、長尺帯状の一端部を容器本体１に固定してあり、他端部はカラビナ等の係止具を備えて容器本体１に係脱自在に取り付けられており、通常時には輪状の取手４を形成している（図１（ａ））。非常時には他端部を容器本体１から取り外して長尺の帯状とし、使用者の救命胴衣等に結びつけ、使用者と容器本体１がはぐれないようにすることができる（図１（ｂ）、図８）。また、非常時用の取手４は図７に示すように、車輪６を用い容器本体１を引いて移動させる際の引手として用いることもできる。
【００１５】
容器本体１の底部は、長手方向に間隔をあけて二つのバランスウェイト５，５を備える。バランスウェイト５，５の数は一つや、三つ以上でもよいが、バランスをとる上で二つがより望ましい。容器本体１の底部には凹部１ａを形成してあり、凹部１ａにバランスウェイト５，５が取り付けてある。バランスウェイト５，５を底部に沿って倒した状態では、凹部１ａ内にバランスウェイト５，５が納まるので、運搬容器を平地に載置することができる。
【００１６】
バランスウェイト５，５は、運搬容器が水面に浮遊した時にバランスをとって容器本体１の転覆を防ぐものである。材質は特に限定されないが、例えば鉄製のある程度荷重のある長尺の部材からなり、容器本体１の底部には軸部７を介して取り付けられている。バランスウェイト５，５は軸部７を支点に起倒自在であって、図５（ａ）に示すように、軸部７に連結している基部から端部に向かって広がるテーパー形状の板材であることが望ましいが、長尺であってバランスをとることのできるものであれば、形状は特に限定されることはなく、例えば図５（ｂ）に示すように、棒状のものであってもよい。また、バランスウェイト５，５は、容器本体１の底部に沿って互いに向かい合うように倒すと端部が突き合わされる。そして、容器本体１の底部には短手方向に留め具８が取り付けてある。図５に示すように、二つのバランスウェイト５，５を、容器本体１の底部に沿って互いに向かい合うように倒し重ね合わせた状態で留め具８によって係止することが可能となる。留め具８は係脱自在であるため、通常時の持ち運びに容器本体１を使用する際にはバランスウェイト５，５が邪魔にならず、非常時には即座に留め具８を外してバランスウェイト５，５を使用できる。なお、二つのバランスウェイト５，５は、必ずしも図５（ａ）のように端部が突き合わされる必要はなく、例えば図５（ｂ）に示すように、軸部７が位置ずれしており、二つのバランスウェイト５，５が重なり合わないように互い違いに取り付けてあってもよい。
【００１７】
容器本体１の内部には、図２に示すように、クッション材１０を備える。クッション材１０はウレタンシート等のクッション性及び浮力を有する素材からなる。クッション材１０は容器本体１の内部に水が浸入した際に排水可能とするために、溝部を形成してもよい。また、クッション材１０には、図６（ａ）（ｂ）に示すように、新生児の身体を固定するための安全ベルト１１を備えることが好ましい。
【００１８】
このように構成した運搬容器によれば、容器本体１の底部に長尺のバランスウェイト５が起倒自在に取り付けてあるため、非常時において、水面に浮遊させる際にはバランスウェイト５が垂直方向になり、重心がより下方に位置するので、通常の持ち運びの際には重さが負担にならないような比較的軽いバランスウェイト５，５であっても、容器本体１を水面で安定させることができる。そして、バランスウェイト５，５はワンタッチで起倒の操作が可能であるので、非常時においても即座に安全を確保することができる。通常時にはバランスウェイト５，５が邪魔にならず、容器本体１を平面に載置できるので、非常時に限らず日常的に使用可能である。
また、バランスウェイト５，５は起倒自在に取り付けてあるため、水面に浮遊させておき、徐々に水が引いていった場合であっても、自然と無理のない方向へ倒れ、容器本体１が略水平に保たれるので、安全性に優れる。
容器本体１は底部において長手方向に間隔をあけて二つのバランスウェイト５，５を備えれば、より安定性を高めることができる。そして、バランスウェイト５は、基部から端部に向かって広がるテーパー形状であれば、さらに安定性が高まり、安全性に優れる。
洪水や津波等の水害発生時に、咄嗟に新生児の安全を確保することは、日頃から災害を想定して十分に備えていないと困難なことであるが、このような運搬容器を日常的に使用することで、災害発生時にも即座に対応することができる。
【００１９】
本発明は、上記の実施形態に限定されない。例えば、バランスウェイトは長尺であればどのような態様のものでも良い。そして、バランスウェイトは起倒自在である他、水平方向に回動や揺動可能としてもよい。また、運搬容器の内部で安全を確保するのは新生児には限られず、子犬等の小動物や、重要書類、貴重品等を入れてもよい。また、この運搬容器は水上の乗り物にも応用可能であって、例えば小型の船舶や救命ボートを安定させるために用いることもできる。
【符号の説明】
【００２０】
１      容器本体
２      蓋部
３      取手
４      取手
５      バランスウェイト
６      車輪
７      軸部
８      留め具
１０      クッション材
１１      安全ベルト
【図１】
2019141393.tif 000003
【図２】
2019141393.tif 000004
【図３】
2019141393.tif 000005
【図４】
2019141393.tif 000006
【図５】
2019141393.tif 000007
【図６】
2019141393.tif 000008
【図７】
2019141393.tif 000009
【図８】
2019141393.tif 000010